(57)【要約】デジタル・ページャが、内蔵プリンターを有し、該ページャの筐体がページを横切るにつれ、テキストメッセージおよび／または図形の画像をページ上に印刷することが可能となる。このページャは、紙収容機構または紙送り機構を設ける必要が無いため、コンパクトかつ軽量にしておくことができる。
2005526633.tif 000002
【特許請求の範囲】
【請求項１】
筐体と、
前記ページャが受け取ったテキストデータおよび画像データの一方または双方を記憶するようにされたデジタル記憶装置と、
前記筐体内に配置されたプリンターであり、
（ａ）前記デジタル記憶装置からデジタル情報を受け取るように、かつ、
（ｂ）当該プリンターの外部の印刷媒体上に、前記筐体が該印刷媒体を横切るにつれて、テキストおよび画像の一方または双方を印刷するように、構成されたプリンターと、を備えたページャ。
【請求項２】
前記テキストデータおよび前記画像データの一方または双方を受け取るアンテナをさらに備える、請求項１のページャ。
【請求項３】
前記プリンターが、ドロップオンデマンド・カラーインクジェット印刷ヘッドを備える、請求項１のページャ。
【請求項４】
前記筐体は、前記印刷ヘッドと連通する交換可能なインク・カートリッジが内部に配置されている、請求項３のページャ。
【請求項５】
前記印刷媒体と接触するように、かつ前記筐体が前記印刷媒体を横切るにつれて回転するようにされた光学エンコーダー・ホイールを含む速度センサーが前記筐体内部に配置され、前記光学エンコーダー・ホイールは、円周方向に間隔をあけて配置された一連のマークを含み、前記速度センサーは、光学センサーであって前記光学エンコーダー・ホイールの回転中に前記マークが当該光学センサーを通過するときに前記マークを検出するための光学センサーをさらに備える、請求項１のページャ。
【請求項６】
前記光学エンコーダー・ホイール上の連続するマーク間の円周方向の間隔が、前記印刷ヘッドによって印刷されている前記テキストおよび前記画像の少なくとも一方の、連続する印刷ライン間の間隔と実質的に等しい、請求項５に記載のページャ。
【請求項７】
前記光学センサーによって前記エンコーダー・ホイール上のあるマークが検出されることにより、テキストデータおよび画像データの一方または双方の次のラインの印刷が開始される、請求項５のページャ。
【請求項８】
前記筐体の内部に配置された電源をさらに含む、請求項１のページャ。
【請求項９】
前記電源は、前記ページャから着脱可能な電池を含む、請求項８のページャ。
【請求項１０】
前記テキストおよび前記画像の一方または双方を表示するようにされたディスプレイ画面をさらに備える、請求項１に記載のページャ。
【請求項１１】
前記プリンターを制御するための、ユーザーが操作可能なボタンをさらに備える、請求項１のページャ。
【発明の詳細な説明】
【発明の分野】
【０００１】
以下の本発明はページャ技術に関する。本発明は、特には、排他的ではないが、内蔵プリンターを有するページャに関する。このようなプリンターは、固定印刷ヘッド方式を利用したドロップオンデマンド・インクジェットプリンターであっても良い。
【背景】
【０００２】
既知のページャは、メッセージを表示する表示パネルを有している。しかし、そのメッセージのプリントアウトを便利に作成する手段はこれまで知られていない。
【０００３】
既知のプリンター装置を単にページャの筐体に組み込むことでは、コンパクトで、容易に携行可能なページャとはならないであろう。これは、従来技術のプリンターが、印刷媒体の供給品を内蔵しており、また、印刷媒体を、印刷ヘッドを通過させて移送し、印刷媒体上への印刷を実行するための印刷媒体送り機構を用いているからである。印刷媒体の供給品を有するこのような既知のプリンターは、携行可能なページャにおいて望まれるであろうものよりも重く、かつ大きいものである。
【同時係属出願】
【０００４】
本発明に関連する様々な方法、システムおよび装置が、本発明の出願人または譲渡人によって本出願と同時に出願された下記の同時係属出願に開示されている。
AP39          AP43          AP44          AP46          AP47          AP48   
AP49          AP50          AP51          AP52          AP53          AP55   
AP58          AP60          AP61          AP62          AP63          AP64   
AP65          AP66          AP67          AP68          AP69          AP70   
AP71          AP77          AP78          AP79
これらの同時係属出願の開示は、相互参照により本明細書に援用する。それぞれの出願は、暫定的にそのファイル・リファレンスで特定される。これは、入手可能となったときに、対応するＰＣＴ出願番号と取り替えられる。
【０００５】
［関連特許出願および特許］
US6,227,652          US6,213,588          US6,213,589          US6,231,163
US6,247,795          US6,394,581          US6,244,691          US6,257,704
US6,416,168          US6,220,694          US6,257,705          US6,247,794
US6,234,610          US6,247,793          US6,264,306          US6,241,342
US6,247,792          US6,264,307          US6,254,220          US6,234,611
US6,302,528          US6,283,582          US6,239,821          US6,338,547
US6,247,796          US09/113,122         US6,390,603          US6,362,843
US6,293,653          US6,312,107          US6,227,653          US6,234,609
US6,238,040          US6,188,415          US6,227,654          US6,209,989
US6,247,791          US6,336,710          US6,217,153          US6,416,167
US6,243,113          US6,283,581          US6,247,790          US6,260,953
US6,267,469          US6,273,544          US6,309,048          US6,420,196
US6,443,558          US09/422,892         US6,378,989          US09/425,420
US09/422,893         US09/609,140         US6,409,323          US6,281,912
US09/575,113         US6,318,920          US6,488,422          US09/693,644
US6,457,810          US6,485,135          US09/112,763         US6,331,946
US6,246,970          US6,442,525          US09/505,951         US09/505,147
US09/505,952         US09/575,108         US09/575,109         US09/575,110
US09/607,985         US6,398,332          US6,394,573          US09/606,999 
US6,238,044          US6,425,661          US6,390,605          US6,322,195
US09/504,221         US6,480,089          US6,460,778          US6,305,788
US6,426,014          US6,364,453          US6,457,795          US09/556,219
US09/556,218         US6,315,399          US6,338,548          US09/575,190
US6,328,431          US6,328,425          US09/575,127         US6,383,833
US6,464,332          US6,390,591          US09/575,152         US6,328,417
US6,322,194          US09/575,177         US09/575,175         US6,417,757
US09/608,780         US6,428,139          US09/607,498         US09/693,079
US09/693,135         US6,428,142          US09/692,813         US09/693,319
US09/693,311         US6,439,908          US09/693,735         PCT/AU98/00550
PCT/AU00/00516       PCT/AU00/00517       PCT/AU00/00511       PCT/AU00/00754
PCT/AU00/00755       PCT/AU00/00756       PCT/AU00/00757       PCT/AU00/00095
PCT/AU00/00172       PCT/AU00/00338       PCT/AU00/00339       PCT/AU00/00340
PCT/AU00/00341       PCT/AU00/00581       PCT/AU00/00580       PCT/AU00/00582
PCT/AU00/00587       PCT/AU00/00588       PCT/AU00/00589       PCT/AU00/00583
PCT/AU00/00593       PCT/AU00/00590       PCT/AU00/00591       PCT/AU00/00592
PCT/AU00/00584       PCT/AU00/00585       PCT/AU00/00586       PCT/AU00/00749
PCT/AU00/00750       PCT/AU00/00751       PCT/AU00/00752       PCT/AU01/01332
PCT/AU01/01318       PCT/AU00/01513       PCT/AU00/01514       PCT/AU00/01515
PCT/AU00/01516       PCT/AU00/01517       PCT/AU00/01512       PCT/AU01/00502
PCT/AU02/01120       PCT/AU00/00333       PCT/AU01/00141       PCT/AU01/00139
PCT/AU01/00140       PCT/AU00/00753       PCT/AU01/01321       PCT/AU01/01322
PCT/AU01/01323       PCT/AU00/00594       PCT/AU00/00595       PCT/AU00/00596
PCT/AU00/00597       PCT/AU00/00598       PCT/AU00/00741       PCT/AU00/00742
【発明の開示】
【０００６】
本発明の第一の態様によると、
筐体と、
前記ページャが受け取ったテキストデータおよび画像データの一方または双方を記憶するようにされたデジタル記憶装置と、
前記筐体内に配置されたプリンターであり、
（ａ）前記デジタル記憶装置からデジタル情報を受け取るように、かつ、
（ｂ）当該プリンターの外部の印刷媒体上に、前記筐体が該印刷媒体を横切るにつれて、テキストおよび画像の一方または双方を印刷するように、構成されたプリンターと、を備えたページャが開示されている。
【０００７】
好ましくは、前記ページャは、前記テキストデータおよび前記画像データの一方または双方を受け取るアンテナをさらに備える。
【０００８】
好ましくは、前記プリンターが、ドロップオンデマンド・カラーインクジェット印刷ヘッドを備える。
【０００９】
好ましくは、前記筐体は、前記印刷ヘッドと連通する交換可能なインク・カートリッジが内部に配置されている。
【００１０】
好ましくは、前記印刷媒体と接触するように、かつ前記筐体が前記印刷媒体を横切るにつれて回転するようにされた光学エンコーダー・ホイールを含む速度センサーが前記筐体内部に配置され、前記光学エンコーダー・ホイールは、円周方向に間隔をあけて配置された一連のマークを含み、前記速度センサーは、光学センサーであって前記光学エンコーダー・ホイールの回転中に前記マークが当該光学センサーを通過するときに前記マークを検出するための光学センサーをさらに備える。
【００１１】
好ましくは、前記光学エンコーダー・ホイール上の連続するマーク間の円周方向の間隔が、前記印刷ヘッドによって印刷されている前記テキストおよび前記画像の少なくとも一方の、連続する印刷ライン間の間隔と実質的に等しい。
【００１２】
好ましくは、前記光学センサーによって前記エンコーダー・ホイール上のあるマークが検出されることにより、テキストデータおよび画像データの一方または双方の次のラインの印刷が開始される。
【００１３】
好ましくは、前記ページャは、前記筐体の内部に配置された電源をさらに含む。さらに好ましくは、前記電源は、前記ページャから着脱可能な電池を含む。
【００１４】
好ましくは、前記ページャは、前記テキストおよび前記画像の一方または双方を表示するようにされたディスプレイ画面をさらに備える。
【００１５】
好ましくは、前記ページャは、前記プリンターを制御するための、ユーザーが操作可能なボタンをさらに備える。
【００１６】
本発明の好ましい形態を、添付の図面を参照して、ほんの一例として次に説明する。
【好ましい実施形態の説明】
【００１７】
添付図面の図１においては、１枚の印刷媒体１２を、その上に画像１１を印刷するようにしてほぼ完全に横切った、内蔵プリンターを有するページャ１０を概略的に描いてある。ページャ１０は、例えばユーザーのポケットまたは財布内に容易にちょうど収まる大きさと形状で作られている、携帯式の装置である。
【００１８】
図２に示すように、ページャ１０の筐体は、プラスチック製の表面成形品１３と、基部成形品１４とを含む。表面成形品１３は、表示窓２３、一対のスクロール・ボタン２１、ＹＥＳ／ＧＯボタン１５、およびＮＯ／ＳＴＯＰボタン１６を有している。
【００１９】
ページャ１０の筐体の下端には、光学エンコーダー・ホイール１８、アイドラー・ホイール２０、およびそれらの間の印刷ヘッド１９が設けられている。印刷ヘッド、光学エンコーダー・ホイール、および関連する内部構成部品の動作は、「手動操作可能プリンター・スキャナー（Manually Operable Printer-Scanner）」と題された、我々の同時係属出願（事件番号ＡＰ４６）に見出すことができる。本発明で利用される印刷機構は、同時係属出願（事件番号ＡＰ４６）に開示されているものと同一であってもよいが、ページャ筐体１０の外部の印刷媒体に印刷できる、他の形態の小型かつ軽量なプリンター（まだこれから開発される）を使用することもできる。
【００２０】
図３に示すように、基部成形品１４は、電池／インクカートリッジ・カバー成形品１７と連結している。これは、通常、図のように印刷ヘッド１１と並んで存在するであろう。
【００２１】
ページャの分解斜視図を図４に示す。表面成形品１３の下には、エラストマー・ボタン成形品２２が設けられており、スクロール・ボタン２１、ＹＥＳ/ＧＯボタン１５、およびＮＯ/ＳＴＯＰボタン１６の電気的スイッチを覆っている。
【００２２】
表示窓２３の下に位置させて、液晶表示装置（ＬＣＤ）２４が設けられている。ＬＣＤ２４は、プリント回路基板２５に取付けられ、そのうしろには電子装置２９が配置されている。プリント回路基板２５およびＬＣＤ２４への電力は、電池接点２８を通して電池３０から供給される。電池３０は通常、単４電池でよい。電池は、通常、充電式であってもよい。
【００２３】
フレキシブル・プリント回路基板２７もまた、ページャ筐体内に配置され、かつ、印刷ヘッド９と結合されており、この回路基板は、プリント回路基板２５と接触し、印刷ヘッド１９へ制御信号および電力を供給するものである。
【００２４】
インク用コネクタ２６もまた、印刷ヘッド１９と結合されており、インク・カートリッジ３２からインクを受け入れる。インク・カートリッジ３２上の質問／応答（ＱＡ）チップ３１は、インク用コネクタ２６の下側と接触し、カートリッジが存在することを示す。カートリッジがない場合には、警告の表示をＬＣＤ２４に送りうる。
【００２５】
電子装置２９の詳細は、図９においてよりよく見ることができる。つまり、ＰＣＢ２５の下側に取り付けられているのは、印刷ヘッド１９の動作を制御する機能を果たし、かつ印刷されるデジタル画像データを記憶する機能を果たすこともあるプリンター・チップ３５である。しかし、デジタルデータは、他のチップまたは複数のチップに記憶させることもでき、または、メモリーカードまたは他の記憶装置に記憶させることもできる。この図においては、フレキＰＣＢ２７は、ＰＣＢ２５に取り付けられた状態で示されている。リチウムイオン電池等のコイン電池３６もまた、ＰＣＢ２５に取り付けられている。これは、主電池３０が取り外されたり消耗した場合に、すべてのメモリーデータを保持するのに役立ちうる。ページャ装置と結合したアンテナ３７もまた、描かれている。振動磁石３３とスピーカー３４もまた、ページャ装置と結合している。装備３３、３４、および３７は、標準的なページャの構成部品でよいため、詳細には説明しない。
【００２６】
使用の際、ページャ装置がアンテナ３７を通してメッセージを受け取ると、スピーカー３４が音を発し、かつ／または、振動磁石３３がページャを振動させて、メッセージを受信したことを示す。このメッセージは、ボタン２１を操作して表示窓２３を通して見ることができる。ＬＣＤを制御しているソフトウェアによって印刷オプションを表示することができ、それからＹＥＳ／ＧＯボタン１５を押し下げて印刷モードを起動したり、プリントアウトが必要でなければ、ＮＯ／ＳＴＯＰボタン１６を押したりすることができる。
【００２７】
テキストメッセージの他に、ページャは図形の画像を受信することもできる。テキストおよび／または図形の画像は、ページャ装置１０を手に持ち、光学エンコーダー・ホイール１８およびアイドラー・ホイール２０をページに接触させながら、ページ上を横切って進めることで、印刷媒体１２のシート上に印刷することができる。ページを横切って本装置を引くと、印刷ヘッド１９は、インクの液滴をページ上に置いて画像１１を生成する。使用する印刷ヘッドのタイプや、インク・カートリッジおよびインク送出手段の構成によって、画像１１をモノクロまたはカラーとすることができる。カラー印刷をするためには、マルチカラーインクや、相互参照した出願ＡＰ４６の印刷ヘッドを使用してもよい。
【図面の簡単な説明】
【００２８】
【図１】内蔵プリンターを有し、使用中、ページを横切って、画像をその上に印刷するページャの概略斜視図である。
【図２】ページャの概略斜視図である。
【図３】図２のページャの概略反転斜視図である。
【図４】図２および図３のページャの概略分解斜視図である。
【図５】前記ページャの概略平面図である。
【図６】前記ページャの概略側面図である。
【図７】前記ページャの概略正面図である。
【図８】前記ページャの概略反転平面図である。
【図９】背面カバーをはずした前記ページャの概略斜視図である。
【図１】
2005526633.tif 000003
【図２】
2005526633.tif 000004
【図３】
2005526633.tif 000005
【図４】
2005526633.tif 000006
【図５】
2005526633.tif 000007
【図６】
2005526633.tif 000008
【図７】
2005526633.tif 000009
【図８】
2005526633.tif 000010
【図９】
2005526633.tif 000011
【手続補正書】
【提出日】平成15年11月7日(2003.11.7)
【手続補正１】
【補正対象書類名】特許請求の範囲
【補正対象項目名】全文
【補正方法】変更
【補正の内容】
【特許請求の範囲】
【請求項１】
筐体と、
無線通信によって前記ページャが受け取ったテキストデータおよび画像データの一方または双方を記憶するようにされたデジタル記憶装置と、
前記筐体内に配置された掃引プリンターであり、
（ａ）前記デジタル記憶装置からデジタル情報を受け取るように、かつ、
（ｂ）当該掃引プリンターの外部の印刷媒体上に、前記筐体が該印刷媒体を横切るにつれて、テキストおよび画像の一方または双方を印刷するように構成されたプリンターと、を備えたページャ。
【請求項２】
前記テキストデータおよび前記画像データの一方または双方を受け取るアンテナをさらに備える、請求項１のページャ。
【請求項３】
前記プリンターが、ドロップオンデマンド・カラーインクジェット印刷ヘッドを備える、請求項１のページャ。
【請求項４】
前記筐体は、前記印刷ヘッドと連通する交換可能なインク・カートリッジが内部に配置されている、請求項３のページャ。
【請求項５】
前記印刷媒体と接触するように、かつ前記筐体が前記印刷媒体を横切るにつれて回転するようにされた光学エンコーダー・ホイールを含む速度センサーが前記筐体内部に配置され、前記光学エンコーダー・ホイールは、円周方向に間隔をあけて配置された一連のマークを含み、前記速度センサーは、光学センサーであって前記光学エンコーダー・ホイールの回転中に前記マークが当該光学センサーを通過するときに前記マークを検出するための光学センサーをさらに備える、請求項１のページャ。
【請求項６】
前記光学エンコーダー・ホイール上の連続するマーク間の円周方向の間隔が、前記印刷ヘッドによって印刷されている前記テキストおよび前記画像の少なくとも一方の、連続する印刷ライン間の間隔と実質的に等しい、請求項５に記載のページャ。
【請求項７】
前記光学センサーによって前記エンコーダー・ホイール上のあるマークが検出されることにより、テキストデータおよび画像データの一方または双方の次のラインの印刷が開始される、請求項５のページャ。
【請求項８】
前記筐体の内部に配置された電源をさらに含む、請求項１のページャ。
【請求項９】
前記電源は、前記ページャから着脱可能な電池を含む、請求項８のページャ。
【請求項１０】
前記テキストおよび前記画像の一方または双方を表示するようにされたディスプレイ画面をさらに備える、請求項１に記載のページャ。
【請求項１１】
前記プリンターを制御するための、ユーザーが操作可能なボタンをさらに備える、請求項１のページャ。
【手続補正２】
【補正対象書類名】明細書
【補正対象項目名】０００６
【補正方法】変更
【補正の内容】
【０００６】
本発明の第一の態様によると、
筐体と、
無線通信によって前記ページャが受け取ったテキストデータおよび画像データの一方または双方を記憶するようにされたデジタル記憶装置と、
前記筐体内に配置された掃引プリンターであり、
（ａ）前記デジタル記憶装置からデジタル情報を受け取るように、かつ、
（ｂ）当該掃引プリンターの外部の印刷媒体上に、前記筐体が該印刷媒体を横切るにつれて、テキストおよび画像の一方または双方を印刷するように構成されたプリンターと、を備えたページャが開示されている。
【手続補正３】
【補正対象書類名】明細書
【補正対象項目名】００２３
【補正方法】変更
【補正の内容】
【００２３】
フレキシブル・プリント回路基板２７もまた、ページャ筐体内に配置され、かつ、印刷ヘッド１９と結合されており、この回路基板は、プリント回路基板２５と接触し、印刷ヘッド１９へ制御信号および電力を供給するものである。
【国際調査報告】
2005526633.tif 000012
2005526633.tif 000013
2005526633.tif 000014